(57)【特許請求の範囲】
【請求項１】
筐体と、一の給電アンテナ及び一又は複数の無給電アンテナと、を備える無線通信装置において、
前記筐体には、前記一の給電アンテナと前記一又は複数の無給電アンテナの何れかを選択的に着脱自在に取り付けるための取付部が複数設けられるとともに、前記取付部への前記給電アンテナ及び前記無給電アンテナの取付位置と、受信する電波の指向性との関係を示す指向性表示部が設けられていることを特徴とする無線通信装置。
【請求項２】
前記無給電アンテナには、対象とする電波の波長の０．５波長より長く０．７波長以下の第１の長さの長無給電アンテナと、０．３波長以上で０．５波長より短い第２の長さの短無給電アンテナと、の２種類が有ることを特徴とする請求項１に記載の無線通信装置。
【請求項３】
前記無給電アンテナには、対象とする電波の波長の０．２５波長より長く０．３５波長以下の第１の長さで片側が接地された長無給電アンテナと、０．１５波長以上で０．２５波長より短い第２の長さで片側が接地された短無給電アンテナと、の２種類が有ることを特徴とする請求項１に記載の無線通信装置。
【請求項４】
前記無給電アンテナは伸張及び収縮可能であり、対象とする電波の波長の０．５波長より長く０．７波長以下の第１の長さ及び０．３波長以上で０．５波長より短い第２の長さに設定可能であることを特徴とする請求項１に記載の無線通信装置。
【請求項５】
前記無給電アンテナは片側が接地され且つ伸張及び収縮可能であり、対象とする電波の波長の０．２５波長より長く０．３５波長以下の第１の長さ及び０．１５波長以上で０．２５波長より短い第２の長さに設定可能であることを特徴とする請求項１に記載の無線通信装置。
【請求項６】
二つの前記取付部から成る組が一又は複数備わり、当該組の各々における当該取付部同士の間隔が、対象とする電波の１／６波長以上で１／４波長未満であることを特徴とする請求項１〜５の何れか一項に記載の無線通信装置。
【請求項７】
前記取付部は、
前記給電アンテナを取り付ける第１取付部と、
前記第１取付部を中心として、半径が対象とする電波の波長の１／６波長以上で１／４波長未満の円周上に複数設けられ、前記無給電アンテナを取り付ける第２取付部と、
を備えることを特徴とする請求項１〜５の何れか一項に記載の無線通信装置。
【請求項８】
前記第２取付部は、
前記第１取付部を頂点として、当該頂点が直角をなす直角二等辺三角形における他の二つの頂点の位置に設けられていることを特徴とする請求項７に記載の無線通信装置。
【請求項９】
前記取付部は、前記筐体に対して回転自在な回転体上に設けられていることを特徴とする請求項１〜８の何れか一項に記載の無線通信装置。
【請求項１０】
筐体と、一の給電アンテナ及び一又は複数の無給電アンテナと、を備える無線通信装置において、
前記筐体には、前記給電アンテナと前記無給電アンテナの何れかを選択的に着脱自在に取り付けるための取付部が複数設けられるとともに、前記取付部への前記給電アンテナ及び前記無給電アンテナの取付位置と、受信する電波の指向性との関係を示す指向性表示部が設けられ、
前記無給電アンテナは伸張及び収縮可能であり、対象とする電波の波長の０．５波長より長く０．７波長以下の第１の長さ及び０．３波長以上で０．５波長より短い第２の長さに設定可能であり、
前記取付部は、前記給電アンテナを取り付ける第１取付部と、前記第１取付部を中心として、半径が１／６波長以上で１／４波長未満の円周上に設けられ、前記無給電アンテナを取り付ける第２取付部と、を備え、
前記第２取付部は、
前記第１取付部を頂点として、当該頂点が直角をなす直角二等辺三角形における他の二つの頂点の位置に設けられていることを特徴とする無線通信装置。
【請求項１１】
筐体と、一の給電アンテナ及び一又は複数の無給電アンテナと、を備える無線通信装置において、
前記筐体には、前記給電アンテナと前記無給電アンテナの何れかを選択的に着脱自在に取り付けるための取付部が複数設けられるとともに、前記取付部への前記給電アンテナ及び前記無給電アンテナの取付位置と、受信する電波の指向性との関係を示す指向性表示部が設けられ、
前記無給電アンテナは片側が接地され且つ伸張及び収縮可能であり、対象とする電波の波長の０．２５波長より長く０．３５波長以下の第１の長さ及び０．１５波長以上で０．２５波長より短い第２の長さに設定可能であり、
前記取付部は、前記給電アンテナを取り付ける第１取付部と、前記第１取付部を中心として半径が１／６波長以上で１／４波長未満の円周上に設けられ、前記無給電アンテナを取り付ける第２取付部と、を備え、
前記第２取付部は、
前記第１取付部を頂点として、当該頂点が直角をなす直角二等辺三角形における他の二つの頂点の位置に設けられていることを特徴とする無線通信装置。
【請求項１２】
筐体と、一の給電アンテナ及び一又は複数の無給電アンテナと、を備える無線通信装置において、
前記筐体には、前記一の給電アンテナと前記一又は複数の無給電アンテナの何れかを選択的に着脱自在に取り付けるための取付部が当該筐体に対して回転自在な回転体上に複数設けられるとともに、前記取付部への前記給電アンテナ及び前記無給電アンテナの取付位置と、受信する電波の指向性との関係を示す指向性表示部が設けられ、
前記無給電アンテナには、対象とする電波の波長の０．５波長より長く０．７波長以下の第１の長さの長無給電アンテナと、０．３波長以上で０．５波長より短い第２の長さの短無給電アンテナと、の２種類が有り、
二つの前記取付部から成る組が一又は複数備わり、当該組の各々における当該取付部同士の間隔が１／６波長以上で１／４波長未満であることを特徴とする無線通信装置。
【請求項１３】
筐体と、一の給電アンテナ及び一又は複数の無給電アンテナと、を備える無線通信装置において、
前記筐体には、前記一の給電アンテナと前記一又は複数の無給電アンテナの何れかを選択的に着脱自在に取り付けるための取付部が当該筐体に対して回転自在な回転体上に複数設けられるとともに、前記取付部への前記給電アンテナ及び前記無給電アンテナの取付位置と、受信する電波の指向性との関係を示す指向性表示部が設けられ、
前記無給電アンテナには、対象とする電波の波長の０．２５波長より長く０．３５波長以下の第１の長さで片側が接地された第１の長さの長無給電アンテナと、０．１５波長以上で０．２５波長より短い第２の長さで片側が接地された第２の長さの短無給電アンテナと、の２種類が有り、
二つの前記取付部から成る組が一又は複数備わり、当該組の各々における当該取付部同士の間隔が１／６波長以上で１／４波長未満であることを特徴とする無線通信装置。
【発明の詳細な説明】
【技術分野】
【０００１】
本発明は、アンテナを利用して無線通信を行う無線通信装置に関する。
【背景技術】
【０００２】
無線ＬＡＮ機能が搭載されたプリンタやコピー機等の無線通信装置を、オフィス等の建物内において利用する場合、無線通信装置は、使用する部屋の隅や壁際に設置される場合が多い。このため、無線通信装置に搭載されるアンテナとしては、部屋の中央方向や壁の反対方向へ指向性を有するものであることが望ましい。
【０００３】
そこで、従来、指向性を自在に切り替えることが可能な無線通信装置が知られている。例えば、特許文献１の無線通信装置は、給電素子の周囲に複数の無給電素子を配置し、スイッチング素子をオン／オフすることにより、これら複数の無給電素子の各々を反射器又は導波器として動作させ、指向性を切り替えるものである。
また、特許文献２のアンテナ装置は、インナケースとアウタケースを備えており、インナケースがアウタケースに対して移動可能に構成されている。インナケース及びアウタケースには、放射器、導射器、反射器として機能する導体パターンが形成されており、インナケースを所定の位置で固定することにより、指向性を通信対象の方向に向けることが可能である。
【特許文献１】特開２００３−１９８２４６号公報
【特許文献２】特許第３７８３００６号
【発明の開示】
【発明が解決しようとする課題】
【０００４】
しかしながら、上記特許文献１では、無給電素子の各々に、スイッチング素子及び制御線を接続しなければならず、製造コストが高騰してしまうという問題があった。さらに、無線通信装置は、一旦設置された場所からほとんど動かされずに使用される場合が多い。そのため、通常、アンテナの指向性を頻繁に切り替える必要が無く、無給電素子の電気長を必要な長さに維持するために特定のスイッチング素子を常時オンとする電力が無駄である。また、特許文献２のアンテナ装置であっても、装置が大掛かりであるため、製造コストが高騰してしまう。また、ユーザにとって、指向性の設定方法が分かり難いという問題があった。
【０００５】
本発明の課題は、指向性が可変なアンテナを備える無線通信装置を、より簡易な構成で提供するとともに、指向性の設定の容易化を図ることである。
【課題を解決するための手段】
【０００６】
上記課題を解決するため、請求項１に記載の発明は、筐体と、一の給電アンテナ及び一又は複数の無給電アンテナと、を備える無線通信装置において、
前記筐体には、前記一の給電アンテナと前記一又は複数の無給電アンテナの何れかを選択的に着脱自在に取り付けるための取付部が複数設けられるとともに、前記取付部への前記給電アンテナ及び前記無給電アンテナの取付位置と、受信する電波の指向性との関係を示す指向性表示部が設けられていることを特徴とする。
【０００７】
請求項２に記載の発明は、請求項１に記載の無線通信装置において、前記無給電アンテナには、対象とする電波の波長の０．５波長より長く０．７波長以下の第１の長さの長無給電アンテナと、０．３波長以上で０．５波長より短い第２の長さの短無給電アンテナと、の２種類が有ることを特徴とする。
【０００８】
請求項３に記載の発明は、請求項１に記載の無線通信装置において、前記無給電アンテナには、対象とする電波の波長の０．２５波長より長く０．３５波長以下の第１の長さで片側が接地された長無給電アンテナと、０．１５波長以上で０．２５波長より短い第２の長さで片側が接地された短無給電アンテナと、の２種類が有ることを特徴とする。
【０００９】
請求項４に記載の発明は、請求項１に記載の無線通信装置において、前記無給電アンテナは伸張及び収縮可能であり、対象とする電波の波長の０．５波長より長く０．７波長以下の第１の長さ及び０．３波長以上で０．５波長より短い第２の長さに設定可能であることを特徴とする。
【００１０】
請求項５に記載の発明は、請求項１に記載の無線通信装置において、前記無給電アンテナは片側が接地され且つ伸張及び収縮可能であり、対象とする電波の波長の０．２５波長より長く０．３５波長以下の第１の長さ及び０．１５波長以上で０．２５波長より短い第２の長さに設定可能であることを特徴とする。
【００１１】
請求項６に記載の発明は、請求項１〜５の何れか一項に記載の無線通信装置において、二つの前記取付部から成る組が一又は複数備わり、当該組の各々における当該取付部同士の間隔が、対象とする電波の１／６波長以上で１／４波長未満であることを特徴とする。
【００１２】
請求項７に記載の発明は、請求項１〜５の何れか一項に記載の無線通信装置において、前記取付部は、
前記給電アンテナを取り付ける第１取付部と、
前記第１取付部を中心として、半径が対象とする電波の波長の１／６波長以上で１／４波長未満の円周上に複数設けられ、前記無給電アンテナを取り付ける第２取付部と、
を備えることを特徴とする。
【００１３】
請求項８に記載の発明は、請求項７に記載の無線通信装置において、前記第２取付部は、
前記第１取付部を頂点として、当該頂点が直角をなす直角二等辺三角形における他の二つの頂点の位置に設けられていることを特徴とする。
【００１４】
請求項９に記載の発明は、請求項１〜８に何れか一項に記載の無線通信装置において、前記取付部は、前記筐体に対して回転自在な回転体上に設けられていることを特徴とする。
【００１５】
請求項１０に記載の発明は、筐体と、一の給電アンテナ及び一又は複数の無給電アンテナと、を備える無線通信装置において、
前記筐体には、前記給電アンテナと前記無給電アンテナの何れかを選択的に着脱自在に取り付けるための取付部が複数設けられるとともに、前記取付部への前記給電アンテナ及び前記無給電アンテナの取付位置と、受信する電波の指向性との関係を示す指向性表示部が設けられ、
前記無給電アンテナは伸張及び収縮可能であり、対象とする電波の波長の０．５波長より長く０．７波長以下の第１の長さ及び０．３波長以上で０．５波長より短い第２の長さに設定可能であり、
前記取付部は、前記給電アンテナを取り付ける第１取付部と、前記第１取付部を中心として、半径が１／６波長以上で１／４波長未満の円周上に設けられ、前記無給電アンテナを取り付ける第２取付部と、を備え、
前記第２取付部は、
前記第１取付部を頂点として、当該頂点が直角をなす直角二等辺三角形における他の二つの頂点の位置に設けられていることを特徴とする。
【００１６】
請求項１１に記載の発明は、筐体と、一の給電アンテナ及び一又は複数の無給電アンテナと、を備える無線通信装置において、
前記筐体には、前記給電アンテナと前記無給電アンテナの何れかを選択的に着脱自在に取り付けるための取付部が複数設けられるとともに、前記取付部への前記給電アンテナ及び前記無給電アンテナの取付位置と、受信する電波の指向性との関係を示す指向性表示部が設けられ、
前記無給電アンテナは片側が接地され且つ伸張及び収縮可能であり、対象とする電波の波長の０．２５波長より長く０．３５波長以下の第１の長さ及び０．１５波長以上で０．２５波長より短い第２の長さに設定可能であり、
前記取付部は、前記給電アンテナを取り付ける第１取付部と、前記第１取付部を中心として半径が１／６波長以上で１／４波長未満の円周上に設けられ、前記無給電アンテナを取り付ける第２取付部と、を備え、
前記第２取付部は、
前記第１取付部を頂点として、当該頂点が直角をなす直角二等辺三角形における他の二つの頂点の位置に設けられていることを特徴とする。
【００１７】
請求項１２に記載の発明は、筐体と、一の給電アンテナ及び一又は複数の無給電アンテナと、を備える無線通信装置において、
前記筐体には、前記一の給電アンテナと前記一又は複数の無給電アンテナの何れかを選択的に着脱自在に取り付けるための取付部が当該筐体に対して回転自在な回転体上に複数設けられるとともに、前記取付部への前記給電アンテナ及び前記無給電アンテナの取付位置と、受信する電波の指向性との関係を示す指向性表示部が設けられ、
前記無給電アンテナには、対象とする電波の波長の０．５波長より長く０．７波長以下の第１の長さの長無給電アンテナと、０．３波長以上で０．５波長より短い第２の長さの短無給電アンテナと、の２種類が有り、
二つの前記取付部から成る組が一又は複数備わり、当該組の各々における当該取付部同士の間隔が１／６波長以上で１／４波長未満であることを特徴とする。
【００１８】
請求項１３に記載の発明は、筐体と、一の給電アンテナ及び一又は複数の無給電アンテナと、を備える無線通信装置において、
前記筐体には、前記一の給電アンテナと前記一又は複数の無給電アンテナの何れかを選択的に着脱自在に取り付けるための取付部が当該筐体に対して回転自在な回転体上に複数設けられるとともに、前記取付部への前記給電アンテナ及び前記無給電アンテナの取付位置と、受信する電波の指向性との関係を示す指向性表示部が設けられ、
前記無給電アンテナには、対象とする電波の波長の０．２５波長より長く０．３５波長以下の第１の長さで片側が接地された第１の長さの長無給電アンテナと、０．１５波長以上で０．２５波長より短い第２の長さで片側が接地された第２の長さの短無給電アンテナと、の２種類が有り、
二つの前記取付部から成る組が一又は複数備わり、当該組の各々における当該取付部同士の間隔が１／６波長以上で１／４波長未満であることを特徴とする。
【発明の効果】
【００１９】
本発明によれば、筐体と、一の給電アンテナ及び一又は複数の無給電アンテナと、が備わり、筐体には、一の給電アンテナと一又は複数の無給電アンテナの何れかを選択的に着脱自在に取り付けるための取付部が複数設けられるとともに、取付部への給電アンテナ及び無給電アンテナの取付位置と、受信する電波の指向性との関係を示す指向性表示部が設けられている。
即ち、筐体上に、取付部と、取付部への給電アンテナ及び無給電アンテナの取付位置と、受信する電波の指向性との関係を示す指向性表示部と、を設けるだけで、指向性を可変に設定することができる。したがって、指向性が可変なアンテナを備える無線通信装置を、より簡易な構成で提供することができる。また、ユーザは、指向性表示部にしたがって、取付部に給電アンテナ及び無給電アンテナを取り付けるだけで指向性を設定することができるため、指向性の設定を容易に行うことができる。
【発明を実施するための最良の形態】
【００２０】
以下、図面を参照しながら、本発明の実施の形態について説明する。なお、発明の範囲は図示例に限定されない。
【００２１】
（実施形態１）
まず、本発明を適用した実施形態１の無線通信装置について説明する。
図１は、実施形態１の無線通信装置の斜視図であり、図２は、実施形態１の無線通信装置の要部構成を示すブロック図である。図３は、給電アンテナ、伸張状態の無給電アンテナ、収縮状態の無給電アンテナの長さの関係を模式的に示す図である。図４は、実施形態１の無線通信装置の筐体における各取付部の配置を示す図であり、図５は、実施形態１の無線通信装置に備わる指向性表示部を示す図である。図６は、給電アンテナ及び無給電アンテナの取り付け例を示す図であり、図７は、図６の取り付け例において設定される指向性を示す図である。
【００２２】
実施形態１の無線通信装置１００は、例えば、無線ＬＡＮ(Local Area Network)機能を搭載するプリンタやコピー機等であり、他の無線通信装置との間で無線通信を行う。
無線通信装置１００は、図１及び図２に示すように、筐体１、一の給電アンテナ２、一又は複数（例えば、２つ）の無給電アンテナ３、３、給電アンテナ２を給電する給電部４、他の無線通信装置との間で無線通信を実現する無線通信部５、無線通信装置１００の各部を制御する制御部６等を備えて構成される。
【００２３】
給電アンテナ２は、例えば、使用する電波の波長（λ）の１／２の長さを有するダイポールアンテナ、又は、筐体１に現れる影像によりダイポールアンテナとして作用するモノポールアンテナ等であり、第１取付部１１１（後述）に取り付けられることにより、当該第１取付部１１１に接続された給電部４により給電される。
２つの無給電アンテナ３、３の各々は、伸張及び収縮自在に構成されている。無給電アンテナ３、３のそれぞれは、図３に示すように、伸張状態において第１の長さに設定されることにより、反射器として機能する。また、収縮状態において第２の長さに設定されることにより、導波器として機能する。具体的には、給電アンテナ２が全長１／２波長のダイポールアンテナである場合、無給電アンテナ３は、伸張状態において対象とする電波の波長の０．５波長より長く０．７波長以下の第１の長さに設定され、収縮状態において０．３波長以上で０．５波長より短い第２の長さに設定される。また、無給電アンテナの片側が接地される場合、無給電アンテナ３は、伸張状態において０．２５波長より長く０．３５波長以下の第１の長さに設定され、収縮状態において０．１５波長以上で０．２５波長より短い第２の長さに設定される。
【００２４】
なお、無給電アンテナ３は伸張及び収縮が不可能であっても良く、代わりに、第１の長さの長無給電アンテナと、第２の長さの短無給電アンテナと、の２種類の無給電アンテナ３を備えることとしても良い。
具体的には、給電アンテナ２が全長１／２波長のダイポールアンテナである場合には、０．５波長より長く０．７波長以下の第１の長さの長無給電アンテナと、０．３波長以上で０．５波長より短い第２の長さの短無給電アンテナの２種類の無給電アンテナ３を設けることとする。また、無給電アンテナ３の片側が接地される場合には、０．２５波長より長く０．３５波長以下の第１の長さで片側が接地された長無給電アンテナと、０．１５波長以上で０．２５波長より短い第２の長さで片側が接地された短無給電アンテナと、の２種類の無給電アンテナ３を設けることとする。
【００２５】
筐体１は、その上面部に、給電アンテナ２及び無給電アンテナ３を取り付けるための複数の取付部１１を備えており、給電アンテナ２及び無給電アンテナ３、３の各々は、これらの取付部１１に対して自在に取り付け及び取り外しを行うことができる。
取付部１１は、給電アンテナ２を取り付ける第１取付部１１１と、２つの無給電アンテナ３、３のそれぞれを、選択的に取り付け可能な２つの第２取付部１１２、１１３とから構成されている。第２取付部１１２、１１３は、図４に示すように、第１取付部１１１を中心として、半径（α）が対象とする電波の波長の１／６波長以上で１／４波長未満の円周上において、第１取付部１１１を頂点として、当該頂点が直角をなす直角二等辺三角形における他の二つの頂点の位置に設けられている。
【００２６】
また、筐体１は、取付部１１（第１取付部１１１及び第２取付部１１２、１１３）への給電アンテナ２及び無給電アンテナ３の取付位置と、受信する電波の指向性との関係を示す指向性表示部１２を備えている。
指向性表示部１２は、図５に示すように、無線通信装置１００において設定可能な指向性として、例えば、４つの指向性を例示しており、それぞれの指向性を設定するための第１取付部１１１及び第２取付部１１２、１１３への給電アンテナ２及び無給電アンテナ３の取付位置を示している。
図５の指向性表示部１２によれば、例えば、（Ａ）の第１取付部１１１に給電アンテナ２を取り付け、（Ｂ）の第２取付部１１２に、反射器として機能する伸張状態の無給電アンテナ３を取り付けることにより、第１の方向（（Ｂ）から見た（Ａ）の方向）に指向性を設定することができる。
また、（Ａ）の第１取付部１１１に給電アンテナ２を取り付け、（Ｂ）の第２取付部１１２に、導波器として機能する収縮状態の無給電アンテナ３を取り付けることにより、第２の方向（（Ａ）から見た（Ｂ）の方向）に指向性を設定することができる。
また、（Ａ）の第１取付部１１１に給電アンテナ２を取り付け、（Ｂ）の第２取付部１１２に、導波器として機能する収縮状態の無給電アンテナ３を取り付け、（Ｃ）の第２取付部１１３に、反射器として機能する伸張状態の無給電アンテナ３を取り付けることにより、第３の方向に指向性を設定することができる。
また、（Ａ）の第１取付部１１１に給電アンテナ２を取り付け、（Ｂ）の第２取付部１１２に伸張状態の無給電アンテナ３を取り付け、（Ｃ）の第２取付部１１３に伸張状態の無給電アンテナ３を取り付けることにより、第４の方向に指向性を設定することができる。
なお、本無線通信装置１００において設定可能な上記４つの指向性以外の他の指向性及びその指向性を設定するためのアンテナの取付位置については、説明を省略する。
【００２７】
例えば、上述の指向性表示部１２を参照して、ユーザが、図６に示すように、（Ａ）の第１取付部１１１に給電アンテナ２を取り付け、（Ｂ）の第２取付部１１２に伸張状態の無給電アンテナ３を取り付けた場合、図７に示すように、第１の方向（（Ｂ）から見た（Ａ）の方向）に指向性が設定されることとなる。
【００２８】
以上説明した実施形態１の無線通信装置１００によれば、筐体１と、一の給電アンテナ２及び一又は複数の無給電アンテナ３（例えば、２つの無給電アンテナ３、３）と、が備わり、筐体１には、給電アンテナ２と無給電アンテナ３の何れかを選択的に着脱自在に取り付けるための取付部１１が複数（例えば、３つ）設けられるとともに、取付部１１への給電アンテナ２及び無給電アンテナ３の取付位置と、受信する電波の指向性との関係を示す指向性表示部１２が設けられる。また、無給電アンテナ３は伸張及び収縮可能であり、対象とする電波の波長の０．５波長より長く０．７波長以下の第１の長さ及び０．３波長以上で０．５波長より短い第２の長さ、若しくは、対象とする電波の波長の０．２５波長より長く０．３５波長以下の第１の長さ及び０．１５波長以上で０．２５波長より短い第２の長さに設定可能である。また、取付部１１は、給電アンテナ２を取り付ける第１取付部１１１と、第１取付部１１１を中心として、半径が対象とする電波の１／６波長以上で１／４波長未満の円周上に設けられ、無給電アンテナ３を取り付ける第２取付部１１２、１１３と、を備え、第２取付部１１２、１１３は、第１取付部１１１を頂点として、当該頂点が直角をなす直角二等辺三角形における他の二つの頂点の位置に設けられている。
即ち、筐体１上に、第１取付部１１１及び第２取付部１１２、１１３と、取付部１１への給電アンテナ２及び無給電アンテナ３の取付位置と、受信する電波の指向性との関係を示す指向性表示部１２と、を設けるだけで、指向性を可変に設定することができる。したがって、指向性が可変なアンテナを備える無線通信装置１００を、より簡易な構成で提供することができる。また、ユーザは、指向性表示部１２にしたがって、第１取付部１１１及び第２取付部１１２、１１３に給電アンテナ２及び無給電アンテナ３を取り付けるだけで指向性を設定することができるため、指向性の設定を容易に行うことができる。
【００２９】
また、無給電アンテナ３は伸張及び収縮可能であり、対象とする電波の波長の０．５波長より長く０．７波長以下の第１の長さ及び０．３波長以上で０．５波長より短い第２の長さ、若しくは、対象とする電波の波長の０．２５波長より長く０．３５波長以下の第１の長さ及び０．１５波長以上で０．２５波長より短い第２の長さに設定可能である。したがって、取付部１１の数に対して、より多数の指向性を設定することができる。また、各無給電アンテナ３は、第１の長さ及び第２の長さのうちの任意の長さに設定することができるため、無給電アンテナ３を多数用意する必要が無いこととなる。
【００３０】
また、取付部１１は、給電アンテナ２を取り付ける第１取付部１１１と、第１取付部１１１を中心として、半径が対象とする電波の１／６波長以上で１／４波長未満の円周上に設けられ、無給電アンテナ３を取り付ける第２取付部１１２、１１３と、を備えるため、全ての取付部ではなく、第１取付部１１１を給電可能に構成すれば足りることとなり、より簡単な構成で無線通信装置１００を提供することができる。
【００３１】
さらに、第２取付部１１２、１１３は、第１取付部１１１を頂点として、当該頂点が直角をなす直角二等辺三角形における他の二つの頂点の位置に設けられているため、３つの取付部から成る簡易な構成で、３６０度のあらゆる方向に対して、４５度刻みに偏り無く指向性を設定することができる。
【００３２】
（変形例）
次に、本発明を適用した無線通信装置の変形例について説明する。なお、以下の説明において、上記実施形態１と重複する部分については、同一符号を付して説明を省略する。
図８は、変形例の無線通信装置の斜視図であり、図９は、変形例の無線通信装置の筐体における各取付部の配置を示す図である。
【００３３】
変形例の無線通信装置１００ａにおいて、筐体１ａは、図８に示すように、給電アンテナ２及び無給電アンテナ３、３を取り付けるための複数の取付部１１ａ、取付部１１ａへの給電アンテナ２及び無給電アンテナ３の取付位置と、受信する電波の指向性との関係を示す指向性表示部１２ａを備えている。
【００３４】
取付部１１ａは、給電アンテナ２を取り付ける第１取付部１１１ａと、２つの無給電アンテナ３、３のそれぞれを、選択的に取り付け可能な４つの第２取付部１１２ａ、１１３ａ、１１４ａ、１１５ａとから構成され、給電アンテナ２及び無給電アンテナ３、３の各々は、これらの取付部１１ａに対して自在に取り付け及び取り外しを行うことができる。
第２取付部１１２ａ、１１３ａ、１１４ａ、１１５ａは、図９に示すように、第１取付部１１１ａを中心とする半径（α）が１／６波長以上で１／４波長未満の円周上において、隣合う第２取付部同士が、第１取付部１１１を頂点として、当該頂点が直角をなす直角二等辺三角形における他の二つの頂点に位置することとなるよう配置されている。即ち、４つの第２取付部１１２ａ、１１３ａ、１１４ａ、１１５ａは、半径（α）１／６波長以上且つ１／４波長未満の円周上における０度、９０度、１８０度、２７０度の位置に配置されており、第１取付部１１１ａを介して対向する位置にある第２取付部同士は、それぞれ第１取付部１１１ａを通る直線上に位置している。
【００３５】
そして、例えば、（Ａ）の第１取付部１１１ａに給電アンテナ２を取り付け、（Ｂ）の第２取付部１１２ａに、反射器として機能する伸張状態の無給電アンテナ３を取り付けることにより、第１の方向（（Ｂ）から見た（Ａ）の方向）に指向性が設定される。また、この状態において、さらに、（Ａ）及び（Ｂ）を通る直線上に存在する（Ｄ）に、導波器として機能する収縮状態の無給電アンテナ３を取り付けることにより、第１の方向（（Ｂ）から見た（Ａ）の方向）に、より強い指向性を設定することができる。
なお、本無線通信装置１００ａにおいて設定可能な他の指向性及びその指向性を設定するためのアンテナの取付位置については、説明を省略する。
【００３６】
以上説明した変形例の無線通信装置１００ａによれば、筐体１ａと、一の給電アンテナ２及び一又は複数の無給電アンテナ３（例えば、２つの無給電アンテナ３、３）と、が備わり、筐体１ａには、給電アンテナ２と無給電アンテナ３の何れかを選択的に着脱自在に取り付けるための取付部１１ａが複数（例えば、５つ）設けられるとともに、取付部１１ａへの給電アンテナ２及び無給電アンテナ３の取付位置と、受信する電波の指向性との関係を示す指向性表示部１２ａが設けられる。また、無給電アンテナ３は伸張及び収縮可能であり、対象とする電波の波長の０．５波長より長く０．７波長以下の第１の長さ及び０．３波長以上で０．５波長より短い第２の長さ、若しくは、対象とする電波の波長の０．２５波長より長く０．３５波長以下の第１の長さ及び０．１５波長以上で０．２５波長より短い第２の長さに設定可能である。また、取付部１１ａは、給電アンテナ２を取り付ける第１取付部１１１ａと、第１取付部１１１ａを中心として、半径が対象とする電波の１／６波長以上で１／４波長未満の円周上に設けられ、無給電アンテナ３を取り付ける第２取付部１１２ａ、１１３ａ、１１４ａ、１１５ａと、を備える。
そして、本変形例の無線通信装置１００ａでは、第２取付部１１２ａ、１１３ａ、１１４ａ、１１５ａが、第１取付部１１１ａを中心として、半径が対象とする電波の波長の１／６波長以上で１／４波長未満の円周上において、隣合う第２取付部同士が、第１取付部１１１を頂点として、当該頂点が直角をなす直角二等辺三角形における他の二つの頂点に位置することとなるよう配置されている。したがって、無給電アンテナ３が伸張及び収縮可能に形成されていなくとも、少なくとも、反射器として機能する２つの給電アンテナ２の組、又は、導波器として機能する２つの無給電アンテナ３の組、又は、反射器として機能する１つの無給電アンテナ３及び導波器として機能する１つの無給電アンテナから成る組のうちの何れかを備えていれば、実施形態１において設定可能な４つの指向性を設定することができ、無給電アンテナ３の製造コストを抑えることができる。
【００３７】
（実施形態２）
次に、本発明を適用した実施形態２の無線通信装置について説明する。なお、以下の説明において、上記実施形態１又は変形例と重複する部分については、同一符号を付して説明を省略する。
図１０は、実施形態２の無線通信装置の斜視図であり、図１１は、実施形態２の無線通信装置の要部構成を示すブロック図である。図１２は、実施形態２の無線通信装置の筐体における各取付部の配置を示す図である。図１３は、実施形態２の無線通信装置に備わる指向性表示部を示す図である。
【００３８】
実施形態２の無線通信装置２００は、例えば、実施形態１と同様、無線ＬＡＮ機能を搭載するプリンタやコピー機等であり、他の無線通信装置との間で無線通信を行う。
無線通信装置２００は、図１０及び図１１に示すように、筐体２１、一の給電アンテナ２２、一又は複数（例えば、１つ）の無給電アンテナ２３、給電アンテナ２２を給電する給電部２４、他の無線通信装置との間で無線通信を実現する無線通信部５、無線通信装置２００の各部を制御する制御部２５等を備えて構成される。
【００３９】
給電アンテナ２２は、例えば、筐体２１の上面部に備わる８つの取付部２１１ａ〜２１１ｈ（後述）の何れかに取り付けられることにより、各取付部２１１ａ〜２１１ｈに接続された給電部２４により給電される。
無給電アンテナ２３は、伸張及び収縮自在に構成されており、図３に示すように、伸張状態において第１の長さに設定されることにより、反射器として機能する。また、収縮状態において第２の長さに設定されることにより、導波器として機能する。具体的には、給電アンテナ２が全長１／２波長のダイポールアンテナである場合、無給電アンテナ３は、伸張状態において対象とする電波の波長の０．５波長より長く０．７波長以下の第１の長さに設定され、収縮状態において０．３波長以上で０．５波長より短い第２の長さに設定される。また、無給電アンテナの片側が接地される場合、無給電アンテナ３は、伸張状態において０．２５波長より長く０．３５波長以下の第１の長さに設定され、収縮状態において０．１５波長以上で０．２５波長より短い第２の長さに設定される。
なお、無給電アンテナ２３は伸張及び収縮が不可能であっても良く、代わりに、第１の長さの長無給電アンテナと、第２の長さの短無給電アンテナと、の２種類の無給電アンテナ３を備えることとしても良い。
給電部２４は、８つの取付部２１１ａ〜２１１ｈのそれぞれに接続され、これらの取付部２１１ａ〜２１１ｈの何れかに挿入された給電アンテナ２２を給電する。
【００４０】
筐体２１は、その上面部に、給電アンテナ２２及び無給電アンテナ２３を取り付けるための８つの取付部２１１ａ〜２１１ｈを備えており、給電アンテナ２２及び無給電アンテナ２３の各々は、これらの取付部２１１ａ〜２１１ｈのそれぞれに対して自在に取り付け及び取り外しを行うことができる。
８つの取付部２１１ａ〜２１１ｈのそれぞれは、図１２に示すように、直径が１／６以上で１／４波長未満の同じ円周上に設けられており、円の中心を通る直線上に位置する２つの取付部２１１から成る４組のペアに分けた場合に、各組における２つの取付部２１１同士の間隔（β）が１／６波長以上で１／４波長未満となるように配置されている。即ち、（Ａ）の取付部２１１ａと（Ｅ）の取付部２１１ｅから成る組、（Ｂ）の取付部２１１ｂと（Ｆ）の取付部２１１ｆから成る組、（Ｃ）の取付部２１１ｃと（Ｇ）の取付部２１１ｇから成る組、（Ｄ）の取付部２１１ｄと（Ｈ）の取付部２１１ｈから成る組のそれぞれにおいて、２つの取付部２１１は１／６波長以上且つ１／４波長未満の間隔（β）で配置されている。
【００４１】
また、筐体２１は、取付部２１１ａ〜２１１ｈへの給電アンテナ２２及び無給電アンテナ２３の取付位置と、受信する電波の指向性との関係を示す指向性表示部２１２を備えている。
指向性表示部２１２は、図１３に示すように、無線通信装置２００において設定可能な指向性として、例えば、２つの指向性を例示しており、それぞれの指向性を設定するため取付部２１１ａ〜２１１ｆへの給電アンテナ２２及び無給電アンテナ２３の取付位置を示している。
図１３の指向性表示部２１２によれば、例えば、（Ｂ）の取付部２１１ｂに給電アンテナ２２を取り付け、（Ｆ）の取付部２１１ｆに、反射器として機能する伸張状態の無給電アンテナ２３を取り付けることにより、第１の方向（（Ｆ）から見た（Ｂ）の方向）に指向性を設定することができる。
また、（Ｈ）の取付部２１１ｈに給電アンテナ２２を取り付け、（Ｄ）の取付部２１１ｄに、導波器として機能する収縮状態の無給電アンテナ２３を取り付けることにより、第２の方向（（Ｈ）から見た（Ｄ）の方向）に指向性を設定することができる。
なお、本無線通信装置２００において設定可能な他の指向性及びその指向性を設定するためのアンテナの取付位置については、説明を省略する。
【００４２】
以上説明した実施形態２の無線通信装置２００によれば、筐体２１と、一の給電アンテナ２２及び一又は複数（例えば、１つ）の無給電アンテナ２３と、が備わり、筐体２１には、一の給電アンテナ２２と一又は複数の無給電アンテナ２３の何れかを選択的に着脱自在に取り付けるための取付部２１１ａ〜２１１ｈが複数（例えば、８つ）設けられるとともに、取付部２１１ａ〜２１１ｈへの給電アンテナ２２及び無給電アンテナ２３の取付位置と、受信する電波の指向性との関係を示す指向性表示部２１２が設けられる。また、無給電アンテナ２３は伸張及び収縮可能であり、対象とする電波の波長の０．５波長より長く０．７波長以下の第１の長さ及び０．３波長以上で０．５波長より短い第２の長さ、若しくは、対象とする電波の波長の０．２５波長より長く０．３５波長以下の第１の長さ及び０．１５波長以上で０．２５波長より短い第２の長さに設定可能である。さらに、二つの取付部２１１から成る組が一又は複数（例えば、４つ）備わり、当該組の各々における当該取付部２１１同士の間隔が１／６波長以上で１／４波長未満である。
即ち、筐体２１上に、取付部２１１と、取付部２１１への給電アンテナ２２及び無給電アンテナ２３の取付位置と、受信する電波の指向性との関係を示す指向性表示部２１２と、を設けるだけで、指向性を可変に設定することができる。したがって、指向性が可変なアンテナを備える無線通信装置２００を、より簡易な構成で提供することができる。また、ユーザは、指向性表示部２１２にしたがって、取付部２１１に給電アンテナ２２及び無給電アンテナ２３を取り付けるだけで指向性を設定することができるため、指向性の設定を容易に行うことができる。
【００４３】
さらに、二つの取付部２１１から成る組が一又は複数備わり、当該組の各々における当該取付部２１１同士の間隔が１／６波長以上で１／４波長未満であるため、指向性を確実に設定することができる。
【００４４】
（実施形態３）
次に、本発明を適用した実施形態３の無線通信装置について説明する。なお、以下の説明において、上記実施形態１、変形例、実施形態２と重複する部分については、同一符号を付して説明を省略する。
図１４は、実施形態３の無線通信装置の斜視図であり、図１５は、実施形態３の無線通信装置の要部構成を示すブロック図である。図１６は、実施形態３の無線通信装置の筐体における各取付部の配置を示す図である。図１７は、実施形態３の無線通信装置に備わる指向性表示部を示す図である。図１８は、実施形態３の無線通信装置において、指向性表示部を回転体上に設けた例であり、図１８（ａ）は無線通信装置の斜視図、図１８（ｂ）は図１８（ａ）の無線通信装置における回転体の平面拡大図である。
【００４５】
実施形態３の無線通信装置３００は、例えば、実施形態１及び２と同様、無線ＬＡＮ機能を搭載するプリンタやコピー機等であり、他の無線通信装置との間で無線通信を行う。
無線通信装置３００は、図１４及び図１５に示すように、筐体３１、一の給電アンテナ３２、一又は複数（例えば、１つ）の無給電アンテナ３３、給電アンテナ３２を給電する給電部３４、他の無線通信装置との間で無線通信を実現する無線通信部５、無線通信装置３００の各部を制御する制御部３５等を備えて構成される。
【００４６】
給電アンテナ３２は、例えば、筐体３１の上面部に備わる２つの取付部３１１、３１２（後述）の何れかに取り付けられることにより、各取付部３１１、３１２に接続された給電部３４により給電される。
無給電アンテナ３３は、反射器として機能する第１の長さの長無給電アンテナと、導波器として機能する第２の長さの短無給電アンテナと、の２種類の何れかである。具体的には、給電アンテナ３２が全長１／２波長のダイポールアンテナである場合には、長無給電アンテナの長さ（第１の長さ）は対象とする電波の波長の０．５波長より長く０．７波長以下の長さであり、短無給電アンテナの長さ（第２の長さ）は０．３波長以上で０．５波長より短い長さである。また、無給電アンテナ３３の片側が接地される場合には、長無給電アンテナの長さ（第１の長さ）は０．２５波長より長く０．３５波長以下の長さであり、短無給電アンテナの長さ（第２の長さ）は０．１５波長以上で０．２５波長より短い長さである。無給電アンテナ３３は、取付部３１１、３１２に取り付けられた状態で給電部３４により給電されることがないように、その底面部が絶縁されている。なお、無給電アンテナ３３は、伸張及び収縮自在なアンテナであっても良い。
給電部３４は、２つの取付部３１１、３１２のそれぞれに接続され、これらの取付部３１１、３１２の何れかに挿入された給電アンテナ３２を給電する。
【００４７】
筐体３１は、この筐体３１に対して回転自在な回転体３１ａを備えている。回転体３１ａには、その上面部に、給電アンテナ３２及び無給電アンテナ３３を取り付けるための２つの取付部３１１、３１２から成る１組の取付部が設けられており、給電アンテナ３２及び無給電アンテナ３３の各々は、回転体３１ａ上に備わるこれらの取付部３１１、３１２のそれぞれに対して自在に取り付け及び取り外しを行うことができる。２つの取付部３１１、３１２は、図１６に示すように、１／６波長以上且つ１／４波長未満の間隔（β）で配置されている。そして、これらの取付部３１１、３１２に、給電アンテナ３２及び無給電アンテナ３３（長無給電アンテナ又は短無給電アンテナ）を取り付け、必要な回転角度だけ回転体３１ａを回転させれば、０度〜３６０度のあらゆる方向に指向性を設定することができるようになっている。
【００４８】
また、筐体３１は、取付部３１１、３１２への給電アンテナ３２及び無給電アンテナ３３の取付位置と、受信する電波の指向性との関係を示す指向性表示部３１３を備えている。
指向性表示部３１３は、図１７に示すように、無線通信装置３００において設定可能な指向性として、例えば、２つの指向性を例示しており、それぞれの指向性を設定するため取付部３１１、３１２への給電アンテナ３２及び無給電アンテナ３３の取付位置を示している。また、図１８に示すように、回転体３１ａ上に指向性表示部３１３を設け、回転体３１ａに指向性の方向を記しても良い。
図１７又は図１８の指向性表示部３１３によれば、例えば、（Ａ）の取付部３１１に給電アンテナ３２を取り付け、（Ｂ）の取付部３１２に、反射器として機能する伸張状態の無給電アンテナ３３を取り付け、更に、回転体３１ａを右方向に９０度回転させることにより、第１の方向に指向性を設定することができる。
また、（Ａ）の取付部３１１に給電アンテナ３２を取り付け、（Ｂ）の取付部３１２に、反射器として機能する伸張状態の無給電アンテナ３３を取り付け、更に、回転体３１ａを左方向に１３５度回転させることにより、第２の方向に指向性を設定することができる。
【００４９】
なお、無線通信装置３００において、ユーザの操作に応じて回転体３１ａを回転させる駆動部が設けられていても良い。また、この場合に、例えば、メニュー画面上で指向性を指示すれば、指示された指向性を設定するための角度が算出され、算出された角度だけ回転体３１ａが回転して、希望の指向性をより容易且つ正確に設定できるように構成されていても良い。また、回転体３１ａを回転することにより設定された指向性を、メニュー画面上で確認できるように構成されていても良い。
【００５０】
以上説明した実施形態３の無線通信装置３００によれば、筐体３１と、一の給電アンテナ３２及び一又は複数（例えば、１つ）の無給電アンテナ３３と、が備わり、筐体３１には、一の給電アンテナ３２と一又は複数の無給電アンテナ３３の何れかを選択的に着脱自在に取り付けるための取付部３１１、３１２が当該筐体３１に対して回転自在な回転体３１ａ上に複数設けられるとともに、取付部３１１、３１２への給電アンテナ３２及び無給電アンテナ３３の取付位置と、受信する電波の指向性との関係を示す指向性表示部３１３が設けられる。また、無給電アンテナ３３には、対象とする電波の波長の０．５波長より長く０．７波長以下の第１の長さの長無給電アンテナ及び０．３波長以上で０．５波長より短い第２の長さの短無給電アンテナの２種類、若しくは、対象とする電波の波長の０．２５波長より長く０．３５波長以下の第１の長さで片側が接地された長無給電アンテナ及び０．１５波長以上で０．２５波長より短い第２の長さで片側が接地された短無給電アンテナの２種類が有る。さらに、二つの取付部３１１、３１２から成る組が一又は複数（例えば、１つ）備わり、当該組の各々における当該取付部３１１、３１２同士の間隔が１／６波長以上で１／４波長未満である。
即ち、筐体３１上に、取付部３１１、３１２と、取付部３１１、３１２への給電アンテナ３２及び無給電アンテナ３３の取付位置と、受信する電波の指向性との関係を示す指向性表示部３１３と、を設けるだけで、指向性を可変に設定することができる。したがって、指向性が可変なアンテナを備える無線通信装置３００を、より簡易な構成で提供することができる。また、ユーザは、指向性表示部３１３にしたがって、取付部３１１、３１２に給電アンテナ３２及び無給電アンテナ３３を取り付けるだけで指向性を設定することができるため、指向性の設定を容易に行うことができる。
【００５１】
また、無給電アンテナ３３には、対象とする電波の波長の０．５波長より長く０．７波長以下の第１の長さの長無給電アンテナ及び０．３波長以上で０．５波長より短い第２の長さの短無給電アンテナの２種類、若しくは、対象とする電波の波長の０．２５波長より長く０．３５波長以下の第１の長さで片側が接地された長無給電アンテナ及び０．１５波長以上で０．２５波長より短い第２の長さで片側が接地された短無給電アンテナの２種類が有るため、無給電アンテナ３３をより低コストで提供することができる。
【００５２】
また、二つの取付部３１１、３１２から成る組が一又は複数備わり、当該組の各々における当該取付部３１１、３１２同士の間隔が１／６波長以上で１／４波長未満であるため、指向性を確実に設定することができる。
【００５３】
さらに、取付部３１１、３１２は、筐体３１に対して回転自在な回転体３１ａ上に設けられているため、２つの取付部３１１、３１２に給電アンテナ３２及び無給電アンテナ３３を１つずつ取り付けて、回転体３１ａを所望の角度回転させるだけで、所望の方向に指向性を設定することができる。したがって、非常に容易に指向性の設定を行うことができるとともに、何れの方向にも指向性を設定することができる。また、必要な取付部３１１、３１２の数と、給電アンテナ３２及び無給電アンテナ３３の数が少なくても良いこととなり、低コスト且つより簡易な構成で、指向性を可変に設定可能な無線通信装置３００を提供することができる。
【００５４】
なお、本発明の範囲は、上記実施形態に限られることなく、本発明の趣旨を逸脱しない範囲において種々の改良並びに設計の変更を行っても良い。
例えば、筐体に備わる取付部の数及びその配置は、上述の各実施形態及び変形例の中で例示した形態に限られることなく、任意の数の取付部を任意の位置に配置することができる。また、任意の数の無給電アンテナを用いることができる。
また、上述の各実施形態及び変形例において、指向性表示部を液晶パネル等で構成して、ユーザの操作に応じて必要な場合にのみ、各指向性の設定方法を表示させるように構成しても良い。
また、実施形態１、２、変形例の無線通信装置において、実施形態３と同様に、筐体に対して回転自在な回転体上に取付部を設け、指向性の方向をより細かく設定できるように構成しても良い。
【図面の簡単な説明】
【００５５】
【図１】実施形態１の無線通信装置の斜視図である。
【図２】実施形態１の無線通信装置の要部構成を示すブロック図である。
【図３】給電アンテナ、伸張状態の無給電アンテナ、収縮状態の無給電アンテナの長さの関係を模式的に示す図である。
【図４】実施形態１の無線通信装置の筐体における各取付部の配置を示す図である。
【図５】実施形態１の無線通信装置に備わる指向性表示部を示す図である。
【図６】給電アンテナ及び無給電アンテナの取り付け例を示す図である。
【図７】図６の取り付け例において設定される指向性を示す図である。
【図８】変形例の無線通信装置の斜視図である。
【図９】変形例の無線通信装置の筐体における各取付部の配置を示す図である。
【図１０】実施形態２の無線通信装置の斜視図である。
【図１１】実施形態２の無線通信装置の要部構成を示すブロック図である。
【図１２】実施形態２の無線通信装置の筐体における各取付部の配置を示す図である。
【図１３】実施形態２の無線通信装置に備わる指向性表示部を示す図である。
【図１４】実施形態３の無線通信装置の斜視図である。
【図１５】実施形態３の無線通信装置の要部構成を示すブロック図である。
【図１６】実施形態３の無線通信装置の筐体における各取付部の配置を示す図である。
【図１７】実施形態３の無線通信装置に備わる指向性表示部を示す図である。
【図１８】実施形態３の無線通信装置において、指向性表示部を回転体上に設けた例であり、図１８（ａ）は無線通信装置の斜視図、図１８（ｂ）は図１８（ａ）の無線通信装置における回転体の平面拡大図である。
【符号の説明】
【００５６】
１００          無線通信装置
１              筐体
１１            取付部
１１１          第１取付部
１１２、１１３  第２取付部
１２            指向性表示部
２              給電アンテナ
３              無給電アンテナ
１００ａ        無線通信装置
１ａ            筐体
１１ａ          取付部
１１１ａ        第１取付部
１１２ａ、１１３ａ、１１４ａ、１１５ａ  第２取付部
１２ａ          指向性表示部
２００          無線通信装置
２１            筐体
２１１（２１１ａ〜２１１ｈ）  取付部
２１２          指向性表示部
２２            給電アンテナ
２３            無給電アンテナ
３００          無線通信装置
３１            筐体
３１ａ          回転体
３１１、３１２  取付部
３１３          指向性表示部
３３            給電アンテナ
３４            無給電アンテナ
【図１】
0004803191.tif 000002
【図２】
0004803191.tif 000003
【図３】
0004803191.tif 000004
【図４】
0004803191.tif 000005
【図５】
0004803191.tif 000006
【図６】
0004803191.tif 000007
【図７】
0004803191.tif 000008
【図８】
0004803191.tif 000009
【図９】
0004803191.tif 000010
【図１０】
0004803191.tif 000011
【図１１】
0004803191.tif 000012
【図１２】
0004803191.tif 000013
【図１３】
0004803191.tif 000014
【図１４】
0004803191.tif 000015
【図１５】
0004803191.tif 000016
【図１６】
0004803191.tif 000017
【図１７】
0004803191.tif 000018
【図１８】
0004803191.tif 000019